(57)【特許請求の範囲】
【請求項１】
後部及び前部（３，４）に接続されたウエスト部（２）を有する男性用パンツ（１）であって、該前部と後部とは着用者の股（５）のところで連結され、前記前部（４）は前記男性用パンツの内側（６）にポケット（７）を有しており、該ポケットは男性用パンツの内側に向かう上部開口部縁部（８）を有し、該上部開口部縁部（８）の高さ位置は、前記ウエスト部（２）に対して、該ウエスト部（２）から延びていると共に２つの末端部（15; 16）を有する調節手段（９）の助けを借りて垂直方向に調節可能である男性用パンツであって、該調節手段（９）は弾性部材（10）であり、該弾性部材（10）の前記２つの末端部（15; 16）の少なくとも一方が柔軟な短冊部材（17; 18）の一方の端部（22）に固定され、該短冊部材（17; 18）の他方の端部（21）を前記ウエスト部（２）に固定することができ、前記上部開口部縁部（８）の最も低い部位の垂直方向の所望の高さ位置を維持するために、該短冊部材の伸張の程度は、伸張しない固いバンド（19; 20）によって制限されることを特徴とする男性用パンツ。
【請求項２】
前記柔軟な短冊部材（17; 18）と前記伸張しない固いバンド（19; 20）とが前記ウエスト部（２）のウエストバンド（11）に取り付けられており、前記弾性部材（10）が前記柔軟な短冊部材（17; 18）を介して間接的に前記ウエスト部（２）のウエストバンド（11）に取り付けられており、前記男性用パンツを着用者の着用位置に固定することを特徴とする請求項１に記載の男性用パンツ。
【請求項３】
前記柔軟な短冊部材（17; 18）の幅が前記弾性部材（10）の幅よりも大きいことを特徴とする請求項１又は２に記載の男性用パンツ。
【発明の詳細な説明】
【技術分野】
【０００１】
本発明は、好ましくはスポーツマン及びその他の活動的な人による使用のための男性用パンツに関し、使用者の股の部分で相互に接合されているか一体化されて股部をなす前部と後部とに接続されているウエスト部を有する。
【背景技術】
【０００２】
今日使用され、下着又はスポーツ用ズボンの形状で市場にて見出すことのできる男性用パンツは、多くの場合、ある程度の通気性を与えることができるように穴を空けた内側ズボン又は裏張りを有している。ある場合においては、この裏張りは、男性の性器、特に陰嚢を支持する効果を有するように設計されている。このような従来技術のズボン、特にスポーツ用のものに加えて、男性性器全体を支持し、及び／又はそれを所望の位置に保持するように、特別に成形されたズボン又はガードルもある。このような公知の設計品のデメリットは、別の衣類／製品の助けなしには、裏張りしたズボンによっては、性器の全てを適切な位置に保持することができないことである。また、上記の別の製品等を、確実に位置決めをして使用するのは不便で時間がかかる。この分野の解決を特に必要としているスポーツマンは、例えば、マラソンの選手及び短距離選手である。
【発明の概要】
【発明が解決しようとする課題】
【０００３】
本発明の目的は、前記問題を解決し、容易に適用することができ、追加的な衣類／製品を使用することなく性器全体を所定の位置に効果的に保持することのできるタイプの男性用パンツを提供することである。本発明の特徴は、添付の特許請求の範囲に記載されている。
【課題を解決するための手段】
【０００４】
本発明によって、優れた方法で目的を達成すると共に、簡単にしかも高くない価格で製造することのできる男性用パンツが提供された。本発明によるパンツの機能の思想は、上方の開口部縁部の高さ調節を行うことによって、所望の高さ位置に性器全体を、非常に効果的に保持するという解決策に到達した。
【０００５】
図面を参照しながら好ましい態様の例の助けを借りて、以下において本発明についてより詳細に記載する。
【図面の簡単な説明】
【０００６】
【図１】図１は、本発明による、ポケットが縫い付けられた男性用パンツを示す斜視略図である。ポケットの内側は何もない空間となっており、その上縁部は高さ方向に自動的に配置されるようになっている。
【図２】図２は、図１に示されたパンツの斜視略図の上面図である。
【図３】図３は、伸張しないバンドを有する柔軟な短冊部材についての２つの部分略図を示している。該バンドが伸張しないことによって該短冊部材の柔軟性が制限され、該バンドはウエスト部分で調節手段の自由末端部を間接的に締めるためのものである。
【発明を実施するための形態】
【０００７】
図１及び２には、本発明による男性用パンツ１の好ましい態様が示されている。スポーツマン及びその他の活動的な人による使用に特に適合させた男性用パンツ１は、後部及び前部３，４に接続されたウエスト部２を有する。前部と後部とは、着用者の股５のところで、相互に合わさり、又は連結される。男性用パンツ１の前部４はその内側６に縫い付けられたポケット７を有しており、ポケット７は上部に開口部縁部８を有している。図示されている例において、ポケット７の両側部12，13は、前部４の範囲の中央部分においてポケット７の前部４の内側６に縫いつけられており、さらに、ポケット７の前部14は、男性用パンツ１の前部４の内側６から成っている。上部開口部縁部８の高さ位置は、ウエスト部２に対して垂直方向に自動的に調節され、また、必要な場合、例えば、このパンツを初めて使用している最中には調節することもできる。男性性器全体、即ち睾丸と陰茎との両方を固定し、そして押し上げる効果を与えるための所定の位置へのこの調節は、着用者の体における性器の実際の位置、及びスポーツのタイプに応じて、ウエスト部２から延びている糸又は細長い片材10からなる調節手段９の助けを借りて柔軟な短冊部材17，18を介して間接的に行われる。図示されている態様の例においては、前記柔軟な短冊部材17，18各々の一方の端部22が前記細長い片材10の自由末端部15，16に固定されており、同時に、短冊部材17、18各々の他方の端部21をウエスト部２に調節可能に取り付けることができる。別の例においては、細長い片材10の自由末端部15，16を延長して同じ短冊部材17，18に固定する。前記調節手段９に含まれる細長い片材10は弾性部材で形成することができ、前記柔軟な短冊部材17，18と共にこの細長い片材によって、使用者が着用したときのパンツそのものの位置を適切に定めるウエスト部２のウエストバンド11の方向、即ち前方に上部開口部縁部８を締めることができる。本発明の好ましい態様例にあっては、調節手段９の２つの自由末端部15，16は、柔軟な短冊部材17，18を介してウエスト部２に沿って間接的に調節可能に固定することができる。具体的には、短冊部材17，18は、これらの短冊部材の各端部21，22に取り付けられた、伸張することができない、即ち固いバンド19，20を有し、この固いバンドが短冊部材の伸張の程度を制限する。
【０００８】
図３においては、柔軟な短冊部材17，18の概略拡大図が示されている。短冊部材17，18の各々の長さに亘って配置されて短冊部材の各端部21，22で固定された、伸張しない、即ち固いバンド19，20によって、この柔軟な短冊部材の伸張の程度が制限されている。そして、これら短冊部材17，18の両方は、取り付けられた後には、自動的に高さ位置を維持するのと同時に、上部開口部縁部８についての高さ位置の初期段階の設定を最小限の変位で維持することができる。図３における上方の図面は、この柔軟な短冊部材17，18が、自然で、伸びていない、即ち伸張していない状態にある様子を示しており、下方の図面は同じ短冊部材が制限された伸張状態にある様子を示している。
【図１】
0005953233.tif 000002
【図２】
0005953233.tif 000003
【図３】
0005953233.tif 000004